(57)【要約】【課題】おむつカップとおむつをしっかり結合して液漏れが起こりにくいようにする。【解決手段】カップはプラスチック製で、糞尿を溜める皿部２１と、皿部から股に沿って立ち上がる部分２２を備えている。立ち上がり部の上端と皿部にはそれぞれ上板２３と下板２４が共に後方に向かって延設されている。おむつの外面に２つのポケット１６を形成し、カップの上板２３と下板２４をこれらのポケットに挿入して一体性を保つようにする。おむつ１０の股間部には長円形の取付け穴１３があいており、穴の周縁に沿って粘着テープ１４が貼ってあり、これをカップ２０の立ち上がり部２２の縁に貼り付けるようにして、おむつの穴１３をカップ２０で塞ぐ。【選択図】図２
2006141590.tif 000002
【特許請求の範囲】
【請求項１】
股間に取付け穴をあけたおむつと、該取付け穴を塞ぐように該おむつに取り付けられる、排泄物を受容するためのカップと、該カップから導いたホースの先に取り付けられ、該カップ内に溜まった排泄物を吸引する処理ユニットからなる自動排泄装置において、該おむつの取付け穴の周囲を該カップに貼り付けるために、該取付け穴の周縁部に粘着剤塗布部を設けたことを特徴とする自動排泄処理装置。
【請求項２】
股間に取付け穴をあけたおむつと、該取付け穴を塞ぐように該おむつに取り付けられる、排泄物を受容するためのカップと、該カップから導いたホースの先に取り付けられ、該カップ内に溜まった排泄物を吸引する処理ユニットからなる自動排泄装置において、該おむつの取付け穴の周囲を該カップに貼り付けるために面ファスナを用いることを特徴とする自動排泄処理装置。
【請求項３】
おむつの取付け穴周縁部を貼り付けるために、該カップの周縁部に、外側に折曲したフランジ部を形成した請求項１または２に記載の自動排泄処理装置。
【請求項４】
該おむつの取付け穴の縁に、該カップの内壁に沿うように遮蔽シートを設けた請求項１、２または３に記載の自動排泄処理装置。
【請求項５】
股間に取付け穴をあけたおむつと、該取付け穴を塞ぐように該おむつに取り付けられる、排泄物を受容するためのカップと、該カップから導いたホースの先に取り付けられ、該カップ内に溜まった排泄物を吸引する処理ユニットからなる自動排泄装置において、該カップに、尻ないし腰の下に敷かれる下板と、下腹部に沿う上板をそれぞれ延設し、これら下板と上板を該おむつに取外し自在に固定するようにしたことを特徴とする自動排泄処理装置。
【請求項６】
該おむつに、該カップの上板または下板が入るポケットを形成した請求項５に記載の自動排泄処理装置。
【請求項７】
該カップの上板または下板を該おむつに固定するために面ファスナを設けた請求項５に記載の自動排泄処理装置。
【請求項８】
排泄物受けカップで塞がれる取付け穴を股間に穿ち、該取付け穴の周縁部を該カップに貼り付けるために、該周縁部に粘着剤塗布面または面ファスナを設けた穴明きおむつ。
【請求項９】
該取付け穴の周縁に取り付けられ、鼠蹊部に向かって延びる左右一対のひだを形成した請求項７に記載の穴明きおむつ。
【発明の詳細な説明】
【技術分野】
【０００１】
この発明は、要介護者（寝たきりの高齢者や老人）のための、排泄物を自動的に吸引する自動排泄処理装置およびその部品に関する。
【背景技術】
【０００２】
自動排泄処理装置のアイディアは従来からあり、普及に向けて開発が進行中である。その概要を図１で説明すると、おむつ１０とその股部に取り付けられたおむつカップ２０と、おむつカップから導いたホース３０の先に取り付けられる処理ユニット４０からなる。要介護者が排泄すると、おむつカップ内のセンサーがこれを感知し、おむつカップに溜まった排泄物はホースを通って処理ユニット内に吸引される。同時に、処理ユニットからカップ内に温水が送られ、これで汚れが洗い落とされ、汚水も処理ユニットに吸引される。さらに、処理ユニットから温風が送られ、おむつ内が乾燥される。こうして、おむつの交換を頻繁に行わなくて済むというものである。
【０００３】
ところで、従来の自動排泄処理装置では、おむつとカップの結合手段として、スナップボタン（特開平８−３２２８６８号公報）またはワイヤの引き絞り（特開２００１−１９０５８３号公報）を用いていた。しかし、ボタンによる固定はボタンとボタンの間から液漏れが生じ易く、ワイヤ方式は、構造、使用法のいずれも複雑であるという欠点がある。また、これらのものは、おむつに局部的に大きな力がかかるので、使い捨ての紙おむつは使用できないという問題があった。
【発明の開示】
【発明が解決しようとする課題】
【０００４】
この発明は、おむつカップとおむつの結合方法を改良し、使用法が簡単で、しかも液漏れが起こりにくいようにすることを課題とする。
【課題を解決するための手段】
【０００５】
この発明の自動排泄処理装置では、おむつの取付け穴の周囲をカップに貼り付けるために、取付け穴の周囲に粘着剤を塗布する（請求項１、請求項７）。粘着剤はおむつに直に塗布してもよいし、両面に粘着剤を塗布したテープをおむつに貼り付けるようにしてもよい。粘着剤面は、剥離紙を貼って保護しておき、使用するときに剥離紙を剥がして、粘着剤塗布面をカップに貼り付けるようにする。このように粘着剤塗布面をカップに貼りつけるので、カップとおむつをきわめて簡単に接続することができ、液漏れも起こりにくい。
【０００６】
おむつの取付け穴の周囲をカップに貼り付けるために、粘着剤に代えて面ファスナを用いることができる（請求項２）。面ファスナのオス側（フック側）をカップに、メス側（ループ側）をおむつに取り付けてもよいし、その反対でもよい。おむつの表面素材にオス側面ファスナが引っかかリ易い不織布を用いれば、おむつ側に取り付けるべきメス側面ファスナを省略することができる。
【０００７】
カップの周縁部には、おむつの取付け穴の周縁部を貼り付けるための、外側に向かって折曲したフランジ部を設けることが好ましい（請求項３）。こうすれば、おむつが簡単かつ確実に取り付けることができる。
【０００８】
さらに、該おむつの取付け穴の周囲に、該カップの内壁に沿うように遮蔽シートを設けることが好ましい（請求項４）。こうすれば、おむつとカップの接合部をシートで覆うことができ、液漏れがさらに起こりにくい。
【０００９】
カップとおむつを粘着剤や面ファスナで結合しただけでは、カップに大きな力がかかったときおむつから外れるおそれがある。そこで、カップに、尻ないし腰の下に敷かれる下板と、下腹部に沿う上板をそれぞれ延設し、これら下板と上板をおむつに取外し自在に固定するようにする（請求項５）。このように、上板と下板をカップに設け、これらをおむつに固定するようにしたので、おむつから外れないようカップをしっかり保持することができる。
【００１０】
おむつにポケットを形成し、結合時、カップの上板または下板をこれらポケットに挿入するようにすれば（請求項６）、装着が簡単であり、上下板がおむつから外れにくい。なお、カップの上板または下板は、面ファスナでおむつに固定するようにしてもよい(請求項７）。
【００１１】
おむつには、取付け穴の周囲から鼠蹊部に向かって延びる左右一対のひだを形成することが好ましく（請求項９）、ひだを付けることで、排泄物がひだに案内されてカップに入りやすくなり、したがっておむつが汚れにくいという効果がある。
【発明を実施するための最良の形態】
【００１２】
図２は結合前、図３は結合状態のおむつ１０とおむつカップ２０を示す。カップはプラスチック製で、糞尿を溜める皿部２１と、皿部から股に沿って立ち上がる部分２２を備えている。この立ち上がり部２２は、排尿を受け止めて皿部２１に導くためのもので、断面が樋のような形をしている。立ち上がり部の上端と皿部にはそれぞれ上板２３と下板２４が共に後方に向かって延設されている。
【００１３】
立上り部分の正面にはコネクタ２５があって、処理ユニット４０とホース３０または電線で結ばれる。コネクタは吸引ホースコネクタ２５ａと集合コネクタ２５ｂに分かれており、吸引ホースコネクタは皿部２１に通じる吸引口と連通している。集合コネクタはカップ内面に設けられた洗浄ノズル２６、送風ノズル（図示しない。）、水位等各種センサー（図示しない。）などと繋がっている。
【００１４】
おむつ１０は、内部に吸水性ポリマーを含んだ使い捨ておむつであって、従来の乳児用の使い捨ておむつと基本的に同種のものである。図４はおむつを平たく広げた状態を示しており、同図で符号１０ａは腰当て部、１０ｂは腹当て部、１０ｃは股間部である。腰当て部１０ａの両脇には粘着テープ１１を備えた腰ベルト１２があり、これで腹当て部１０ｂと結合する。
【００１５】
おむつの股間部には長円形の取付け穴１３があいており、穴の周縁に沿って粘着テープ１４が貼ってある。カップ２０の立ち上がり部２２の両縁には、外側に開く格好でフランジ２７が一体に形成されており（図６）、このフランジに前記の粘着テープ１４を貼り付けるようにして、おむつの穴１３をカップ２０で塞ぐ。この接合部に排泄物がかかるのを防止するため、図６に示すように、おむつの穴１３の周りに、カップ立ち上がり部２２の内面に沿うように遮蔽シート１５を取り付け、これで接合部を覆うようにする。
【００１６】
カップとおむつの接合手段が粘着テープ１４だけでは、強い力がかかったときは外れ易い。そこで、おむつの外面に２つのポケット１６を形成し、カップの上板２３と下板２４をこれらのポケットに挿入して一体性を保つようにする。なお、ポケットを設ける代わりに、面ファスナーを用いてカップの上下板をおむつに固定するようにしてもよい。
【００１７】
乳児用おむつと同様、このおむつにも、左右一対の漏れ防止ひだ１７を設ける。これらのひだは、穴１３の周りに固定されており、ひだの縁にはゴム紐１７ａを通してある。カップと結合したとき、、図５、図６に示すように、ゴム紐が張ってひだ１７が起き上がり、これらのひだが排泄される尿をカップの立ち上がり部２２の中に導くようになっている。
【００１８】
カップにおむつを取り付けるには、図２、図３に示すように、カップの上板２３と下板２４を対応するポケット１６に挿入する。次いで、穴１３の周縁に取り付けてある粘着テープ１４の剥離紙１４ａを剥がし、現れた粘着剤面１４ｂをカップ立ち上がりのフランジ部２７に押し当てて貼り付ける（図６）。このようにしてカップを取り付けたおむつを要介護者に装着する（図５）。
【図面の簡単な説明】
【００１９】
【図１】自動排泄処理装置の概念図である。
【図２】おむつとおむつカップの結合前の斜視図である。
【図３】同じく、結合状態の斜視図である。
【図４】展開した状態のおむつの内、外面図である。
【図５】おむつとカップの結合状態の断面図である。
【図６】図６のＡ−Ａ断面図である。
【符号の説明】
【００２０】
１０  おむつ
１３  穴
１４  粘着テープ
１４ｂ  粘着剤塗布面
１５  遮蔽シート
１６  ポケット
１７  ひだ
２０  カップ
２１  皿部
２２  立ち上がり部
２３  上板
２４  下板
２７  フランジ
３０  ホース
４０  処理ユニット
【図１】
2006141590.tif 000003
【図２】
2006141590.tif 000004
【図３】
2006141590.tif 000005
【図４】
2006141590.tif 000006
【図５】
2006141590.tif 000007
【図６】
2006141590.tif 000008